(57)【要約】【課題】時空情報空間でのコミュニケーションをとること。吉野宇宙の平和のため、良いコミュニケーションをとる。現在、過去、未来における吉野宇宙平和創生のための最適判断を見つける。【解決手段】吉野・タイム・マシンによる、現在と（相対的）未来と（相対的）過去とのコンビネーションによるコミュニケーションをとる。吉野宇宙のポーション部分としての一意性を把握することによる確定的若しくは確率的な確定性をもって、未来を知る。【選択図】図１
2006314185.tif 000002
【特許請求の範囲】
【請求項１】
図面、要約書、明細書、外国語スペシフィケーションによって示唆さる、無限も含めた次元空間でのコミュニケーションをとる、吉野・タイム・マシン・システム。
【請求項２】
請求項１において、図面、要約書、明細書によって示唆さる、システムのプロセスにおいて、時空情報空間を介してコミュニケーションをとることを特徴とするプロセス発明。
【請求項３】
請求項１において、図面、要約書、明細書によって示唆さる、システムのプロセスにおいて、言葉と音声と画像といった情報によって、現在が過去や未来とコミュニケーションをとるシステム。
【請求項４】
図面、要約書、明細書、外国語スペシフィケーションによって示唆さる吉野・タイムマシンを製造するプロセス・発明。
【請求項５】
吉野・タイム・マシン・ユニットによるセクション時間未来情報を獲得して、前記吉野・タイム・マシン・ユニットの複数の形態である吉野・タイム・マシン・システムによって、吉野・メモリア未来情報をリレーさせて、現在や過去に情報を送る吉野一虎システム。
【発明の詳細な説明】
【技術分野】
【０００１】  人々は長き間に置いて、時空を飛び回ることを夢見てきた。車や飛行機などで、距離空間での旅行は簡単であっても、時間空間での旅行は簡単ではない。
【背景技術】
【０００２】  古典物理学者の人たちは、Ｆ＝ｍａによって、物理現象を説明しようとした。しかし、量子力学者の人たちは、未来に何が起こるかの予測は、確定的でない、つまり不確定であり、不確定性理論における、［Ａ＾，Ｂ＾］＝Ｃ＾を超えた予測は不可能であると結論している。
【発明の開示】
【発明が解決しようとする課題】
【０００３】現在、未来情報の獲得は非常に容易でないと思われる。未来をよりよく予知・予言するのが吉野システム／本発明／システム／デバイスの課題である。
そして、吉野システムによって、相対的未来と相対的過去／現在でコミュニケーションをすることを目的とする。ここで、相対的過去がｔ  にあるならば、相対的未来は、ｔ＋△ｔ  の時点若しくは時付近にある。そして、特殊な場合以外、△ｔ  はポジティブであったりネガティブであったりするが、ｔ  が１次元、１時限、位置次元、確定次元である必然性はなく、多次元不確定エンティティー／不確定多次元不確定エンティティーであっても良い。
そして、この吉野システムの目的は、吉野宇宙の平和を守るというのが信の目的である。
【課題を解決するための手段】
【０００４】  そこで、時空を超えたシステムを開発することをシステム開発する。はじめに、情報空間１を定義／紹介する。これは、次元空間の一部であり、時点空間若しくは時間空間Ｔ、位置空間若しくは距離空間Ｌと対応／比較され、これらは、適宜な次元をアサインする／される。つまり、フラクタルのような分数次元であったり、１、・・・、Ｎの次元であったり、不確定次元であったり、これら（とかその他と）のコンビネーション／組み合わせであってもよく、その係数／重さ／ウエイトを持ったりしてもよい。一般には、係数とか重さとかウエイトは次元空間に含まれたり、含まれなかったりする。例えば、相対性理論における、時間や空間の伸縮の特徴は適宜な次元空間内での固有値で与えられることが多いように、情報空間の（拡張／縮小／）伸縮の特徴は適宜な次元空間内での固有値として与えられることが多い。しかし、これらは、ファジーネス若しくは多層性若しくは（イントリンジック／イクストリンジックな）不確定性を持つこともあり、一般的には、このあたいにあたるあたいというのがよりよい表現である。
この際、情報空間の存在により、宇宙における存在性やダイナミカル・イクジスタンスは、一意に決まることとする。この際、一意とは、発明の最良形態に置いては、一意である存在若しくは物性／もの／一義性／観測・確定性／確定性／相違性／創意性／総合性／同意性／層性とされ、他の形態では、ファジー／不確定性／複合性／多様性をも含んだ確率的存在／物性／一義性／多様体とされ、その他の形態では、これらの多重複合性／複合多様性を有する。
このような、情報空間をも含めた次元空間をコントロールすることによって、時空情報空間での、コミュニケーションを図るのが、吉野・タイム・マシン・システムである。
【発明の効果】
【０００５】現在に置いて未来／過去の情報を獲得して、未来とか過去とコミュニケートすることにより、現在／未来対する相対過去（未来相対過去）は、より正義な判断をすることができる。特に、発明者、吉野一虎（ヨシノ  カズトラ）が、未来の平和を創生する際、より的確に、現在と過去の人々を導くことができて、現在と未来の人々にどのような進路を取るべきかを指導することができる。つまり、吉野一虎は、戦争回避／兵と軍の移動／隣人愛／平和の維持などにおける指揮をとり、人々を永遠の平和に導くこともできるであろうと思われる。もちろん、これらは、過去と現在と未来人たちの意識と行動によって一意になるかもしれないが、未来における平和を永遠に持続するという吉野宇宙的同意性が得られ、それが永遠に実行されるのであれば、吉野宇宙的実（考／光／効／行）性による永遠の平和も夢ではなくなり、現実性を有するという効果が生まれる。ここで、平和のオルターネティブな形態において同意的防衛性とそのバランスによる平和でもありえる。そして、皆で皆を守りあうという（フィールド・ワイド／ワールド・ワイド・ウェブ／ライク）ミューチュアル・ヘルプ・ピース（フィールド的・世界的相補性平和）でもありえる。もちろん、他の形態としては、吉野一虎をトップ／ラーとするピラミッド型／逆ピラミッド型／△型／三角型／ひし形／トポロジカル・フォーメーション型とこれらの（単数／複数を組み合わせた）コンビネーションのようなものもありえる。未来において、飢饉／物資の不足／エネルギーのニード／必要なエンティティーの必要性が起こることを知るならば、基金、食物を蓄え、物流をコントロールして、事前に準備とか対処することもできるということもでき、より効果があるが、同意性という点において、民主制や、相律制、統率制といった面において、どのような選択を吉野  一虎／過去、現在、未来の人々がするのかということにより、未来が一意／一体／総合体／吉野宇宙体／カズトラ・ヨシノ・無限・愛・宇宙・体となるであろうという予知／予言もできる。例えば、ヨシノ  カズトラのもとにヨシノ・ユニバースを愛する、優れた多くのチョーズン／セクション・リーダー／友融有達が集まって、吉野  一虎とＹＯＳＨＩＮＯ宇宙を健康・自由・喜び・愛人達・幸せ・成功・愛たちに導きサポート・保護して、より良い健康、喜び、幸せ、平和・文明・総和知・Ｋａｚｕｔｏｒａ  Ｙｏｓｈｉｎｏ愛を創生していくということもできよう。ＹＯＳＨＩＮＯ  ＳＹＳＴＥＭとはＹＯＳＨＩＮＯ  ＵＮＩＶＥＲＳＥの子孫達の幸せと成功を願う心が美しき青き空のようにＩＮＦＩＮＩＴＥ／ＥＴＥＲＮＡＬ  ＳＹＮＰＨＯＮＹ  ＯＦ  ＹＯＳＨＩＮＯ  ＵＮＩＶＥＲＳＥとなり吉野宇宙全体に広がるということの祈りの現われなのである。何故なら、吉野宇宙は無限時間において少なくとも無限愛であるからである。吉野宇宙の人々は共に、できたら、有限時間内に無限愛と幸せと共に達成するに至り、無限に生きるのかもしれない。有限内に無限は存在しえるかもしれないということである若しくは有限は無間（ゼロ／無）に無限なのかもしれない。ＮＯＷ  ＬＯＶＥ  ＆  ＦＥＥＬ  ＯＦ  ＥＴＥＲＮＩＴＹ  とはよく言ったものである。吉野宇宙情報空間の一部で��る、吉野宇宙感性空間において、吉野宇宙の人々は永遠を感じ、無限愛とともにあるものであっても良いと想われるのかもしれない。
ＢＥＣＡＵＳＥ“ＹＯＳＨＩＮＯ  ＵＮＩＶＥＲＳＥ  ＩＳ  ＩＮＦＩＮＩＴＥ  ＩＮ  ＬＯＶＥ．”，ｗｉｔｈ  ａ  ｌｏｔ  ｏｆ  ｓｍｉｌｅｓ，ａｔ  ｌｅａｓｔ，ｉｎ  ｔｈｅ  ｉｎｆｉｎｉｔｅ  ｆｕｔｕｒｅ  ｏｆ  ＹＯＳＨＩＮＯ  ＵＮＩＶＥＲＳＥ：））
（Ｃｏｍｍｅｎｔ：  Ｔｈｉｓ  ｉｓ  ｗｈａｔ  Ｋａｚｕｔｏｒａ  Ｙｏｓｈｉｎｏ  ｔｈｅ  ｓｏｍｅｔｈｉｎｇ  ｇｒｅａｔ  ｔｈｉｎｋｓ  ｒｉｇｈｔ  ｎｏｗ，ａｎｄ  Ｋａｚｕｔｏｒａ  Ｙｏｓｈｉｎｏ  ｔｈｅ  ｓｏｍｅｔｈｉｎｇ  ｇｒｅａｔ  ｈｏｐｅｓ  ｔｈａｔ  ｐｅａｃｅ  ｏｆ  Ｙｏｓｈｉｎｏ  Ｕｎｉｖｅｒｓｅ  ｌａｓｔｓ  ｆｏｒ  ｅｖｅｒ，ａｓ  ｅｘｐｌａｉｎｅｄ  ｉｎ  Ｊａｐａｎｅｓｅ，ａｎｄ  ｈｏｐｅｆｕｌｌｙ  ｉｎ  ｍｏｒｅ  ｌａｎｇｕａｇｅ（ｓ）．．．：）
【発明の実施する最良の形態】
吉野システムとは愛である。
特に、吉野システムとは吉野愛であるシステムである。
吉野一虎のシステムによって、Ｙｏｓｈｉｎｏ  Ｍｅｍｏｒｉａと人類の未来情報は、Ｋａｚｕｔｏｒａ  Ｙｏｓｈｉｎｏ  Ｕｎｉｖｅｒｓｅによって管理されているということになっている。これに、国連とか多くの国々がある程度のレベルにおいて関与することが許されているというのも、吉野メモリアの一部であっても良いのかもしれない。吉野メモリアの情報（個人情報等）は、Ｋａｚｕｔｏｒａ  Ｙｏｓｈｉｎｏ  Ｕｎｉｖｅｒｓｅによって任命される吉野宇宙の平和を求めるオーガニゼーションが管理するのが適宜とみなされるためである。
本発明は、吉野・タイム・マシン・システムである。これは、いってしまえば、次元空間（時空情報空間）におけるコミュニーケーション・システムである。ここで情報空間とは、時間空間と距離空間をも含めても良く若しくは吉野全体（集合／群）次元内におけるそれらの補（集合）としてもよい。そして、時空情報空間はコンバージョンと共に次元空間にもなりえる。これは、吉野全体内において、ＲｅａｌとＵｎｒｅａｌが補（集合）的／ファジー補（集合）のようなものとして扱われることが多いかもしれないというのに似ている。もちろん、これらやその他の集合分類は多大にあり、それらの組み合わせ達も、吉野全体の一部である。本発明によって、粒子／ピース／遺伝子／ストリング／ストランド／チェイン／関係／オペレーター（的なもの）を要素（エレメント）としたコンテイナー（集合／群／セット／グループ／リング／人／関係／エージェント／会社／オペレーター／指令体）といったもの・者たちとそれらのコンビネーションによる解析も試みられた。もちろん、コンテイナーがピース／遺伝子／ストリング／ストランド／チェイン／関係／オペレーター（的なもの）であっても良い。（ちなみに、コンテイナーは、物理的フォームを有する必然性がないが、物理的フォームを有していてもかまわない。）
【０００６】ここで、“展示会や、フォーラームは、日本で行うと、人が寄り多く集まるかも知れない”、というのもエレメント／その一部とみなすことができるかもしれない。
【０００７】さて、本願の本題・エンジン・部に入るが、Ｋａｚｕｔｏｒａ  Ｙｏｓｈｉｎｏが「今日は：“もう一休みしようかな”ＡＯＲ（Ｆｕｚｚｙ）“もうちょっとがんばろうかな”：ＳＮＰ・コード・Ｎｏ．１」とおもっている自分の意識というものは、吉野システムの情報空間若しくはコンテイナーのエレメント一部であるとしよう。ここで、ＡＯＲとは機能的・オペレーター／関係／リレーションであり、ふつう／クラシックの論理式のＡｎｄ／ｏｒに近くてもよい。
ＡＯＲ（Ａｎｄ／Ｏｒ）、ＡＯＲ（Ｆｕｚｚｙ）、ＡＯＲ（Ｆｕｎ）、ＡＯＲ（Ｎｅｕｒｏｎ）、ＡＯＲ（Ｃｌａｓｓｉｃ）、ＡＯＲ（Ａ，Ｂ，Ｃ）、ＡＯＲ（クウォンタム）とかしてもよい。
吉野時空情報空間において、このようなエレメントを相対的に／相対的な未来や過去に向けて吉野・タイム・マシンによって、送信／受信することによって、吉野時空情報空間において、よりスムースなコミュニケーションができるようになるとおもう。
【０００８】  さて、未来情報をＹｏｓｈｉｎｏ  Ｍｅｍｏｒｉａと呼ぶ。もちろん、Ｙｏｓｈｉｎｏ  Ｍｅｍｏｒｉａは現在が、相対未来を越して、Ｙｏｓｈｉｎｏ  Ｍｅｍｏｒｙとなる／とコンバートされる。これらが複数あるとき、Ｙｏｓｈｉｎｏ  Ｍｅｍｏｒｉｅｓとなり、これらを総称して、Ｍｒ．／Ｍｓ．／Ｄｒ．／Ｐｈ．Ｍ．ＹＯＳＨＩＮＯ（／ＹＯＳＨＩＮＯ  ＭＥＭＯ／  ＹＯＳＨＩＮＯ  ＭＥＭ／  ＹＯＳＨＩＮＯ  ＭＭＲ）若しくは、ＹＯＳＨＩＮＯ  ＬＯＶＥ  ＥＸＰＥＲＩＥＮＣＥと呼ぶことにする。もちろん、これは、今付近は、Ｙｏｓｈｉｎｏ  Ｍｅｍｏｒｉａ  でもありえるが、ここでこう書いて人々がそれを認めることによって、Ｙｏｓｈｉｎｏ  Ｍｅｍｏｒｙとなるのかもしれない。
【０００９】  Ｙｏｓｈｉｎｏ  Ｅｑｕａｔｉｏｎ  を、ここでは、相対未来情報と相対過去情報を対比／比較／オペレートする方程式／比較式／吟味する式／表／グラフとしよう。ここに、フィード・フォーワード、フィード・バックなどの式／オペレーター／指揮も含まれる。  その最も代表的な例は
Ｉｎｆｏ（ｔ）＝Ｉｎｆｏ（ｔ＋Δｔ）であらわされる。もちろん、情報の中に不確定性が含まれていても良いし、等号は、ときにはあいまいであるときさえありえる。吉野がこれらの式を反復／リピート／クワジ・リピート／コンビネーショナル・リピート／総合・リンク・管理／指揮をとることによって、そのチューン・アップがなされ、未来予測／未来情報／吉野メモリアがより正確になった。これらは、ニューラル・ネットワーク／ヒューマン・コンピューター的なフォーメーションをとっても良い。
【００１０】さて、パーティクル、電子、陽子、トリトンといったエレメンタリー・パーティクルとか、スーパー・ストリングとか情報とかエレメントとかヨシノ・カズトラ・エレメントは、少なくとも、吉野宇宙世界においてマス（ｍａｓｓ）によっても確定的に過去、現在、未来に存在する。確定性と不確定性のデュアリティー（二重性）／トリニティー（３重性）／モルティアリティー（多重性）が存在しても良い。例えば、粒子、波動、情報のトリニティーといったようなものである。ちなみに、エレメントは情報である、としても良い。これを、コンパクト化／変換理解／トランスフォームして、確定性としてもよい。（時として、モーファー／（突然）変異（体）／トラブル・メーカーが存在することもあるが、これも、確定・世界の一部とみなせる。モーファーは必ずしも悪であるとは限らない。善のモーファーは、確定界において、改善を促す。自ら、吉野宇宙全体のポーションである吉野宇宙善世界／吉野宇宙自由世界への自己・改善／パラダイム・シフトとかによりいっそうの改善を与えたりしてもよく、吉野宇宙全体への良き結果をもって善とみなされるようなエンティティーである。）愛と行（愛行）による良き結果とかは、Ｙｏｓｈｉｎｏ  Ｍｅｍｏｒｉａの一部となるのであろう。発明の最良の形態として、特に、Ｍｏｔｈｅｒ理論とか超弦理論において、スーパー・ストリングは、確定世界の描写であるとする。つまり、一意に存在する（物理／スーパー・ストリング）界における過去と現在に対し、一意に存在する法則／掟（ルール）が存在して、未来は一意に存在する／定まる／定まっているということにする。
つまり、この法則／掟（ルール）を知ること、そして、過去ＡＯＲ現在を知ることというのは、それが未来を知ることを意味するとする。
吉野・タイム・マシンの裁量の形態は、今ＡＯＲ現在ＡＯＲ相対過去の、一時点において、若しくは、断続時点において、若しくは、連続時点において、情報を観測知して、この情報と法則／掟（ルール）によって、未来情報ＡＯＲ相対未来を知るというのが、基本にある。
【００１１】ここで、吉野・タイム・マシンが／吉野・タイム・マシンを通して、Ｙｏｓｈｉｎｏ  Ｍｅｍｏｒｉａ  （吉野宇宙全体空間の未来情報）（ここに未来の判断も含まっている）のＫａｚｕｔｏｒａ  Ｙｏｓｈｉｎｏ  Ｒｉｇｈｔｅｏｕｓ（吉野一虎  の  正しいポーション）の（相対）未来情報をインプットしているならば、（相対）過去情報を観測（知）することによって、Ｙｏｓｈｉｎｏ  Ｍｅｍｏｒｉａのポーションである（相対）未来情報を知ることができるとする。
この際、コミュニケーションは、相対未来から相対過去へのメッセージとみなされてもよい。さて、相対過去から、相対未来へのメッセージは、単にＹｏｓｈｉｎｏ  Ｍｅｍｏｒｙを記録／記憶して、それに合わせてコミュニケート／対応することができる。もちろん、同様に情報をハンドルして、メッセージを過去から未来に送おくることもできよう。
ここに、現在／（相対）過去／（相対）未来  と  （相対）未来／（相対）過去が達成されて、吉野・タイム・マシンによるコミュニケーションが完成する。
【００１２】これが、吉野・タイム・マシンの最良の形態である。
【図面の簡単な説明】
【００１３】ここで、以下の図、データーは、説明のために、思考実験（理論／ニューロン／脳によるコンピュテーション）とかによって製作されたものであり、実験室での実際の実験データーであるとは限らない。【図１】吉野カズトラ・タイム・マシンの概念図。線は、コミュニケーションを表すのでも良い。
【図２】吉野・タイム・マシンのコミュニケーションのレイ。
【図３】吉野・タイム・マシンのコミュニケーションによって情報（情報のどこも良い／情報のこどもでも良い）をコントロールする。
【図４】エレメント波（情報）をコントロールするための、コンテイナーの簡単な図。
【図５】情報の発信型と受信型のコミュニケーションを表す図。
【図６】その、パスを示した図。
【図７】その、具体的な図。パーティクル（／パーティクル達）のパスをコントロールする。
【図８】パーティクル・コントロールの別の図。
【図９】リアクションの観測による未来情報推測の概念図。
【図１０】より、具体的な例図。
【図１１】パーティクルをキャプチャー（捕まえた）した図。
【図１２】パーティクル・キャプチャーの“イニシャル・ポテンシャル”の例。
【図１３】パーティクル・キャプチャーの“それなりに・キャプチャー・ポテンシャル”の例。この、ポテンシャルによって、パーティクルは、それなりにキャプチャーされる。必要ならば、パーティクルが出入りすることもできるようにする。
【図１４】電界とか磁界を使った（イニシャル）ポテンシャル／コンテイナー／コンファイナーの例。
【図１５】電界とか磁界を使った（それなり）ポテンシャル／コンテイナー／コンファイナーの例。
【図１６】Ｙｏｓｈｉｎｏ・タイム・マシンの（とポテンシャル）の図。超弦／エレメント的な構図。対称性／非対称性／スーパー・シメトリーは、適宜に設定される。
【図１７】比較機（コンパレーター）による、メモリアとメモリーのチェック／吟味。
【図１８】Ｙｏｓｈｉｎｏ・タイム・マシンのパーティクル的な図。
【図１９】Ｙｏｓｈｉｎｏ・タイム・マシンのストリング／ストランド的な図。
【図２０】Ｙｏｓｈｉｎｏ・タイム・マシンの非・対称型の図。
【図２１】Ｙｏｓｈｉｎｏ・タイム・マシンの非・対称型のＹ型の図。
【図２２】Ｙｏｓｈｉｎｏ・タイム・マシンのスパイラル型の図。ノードがあっても良い。
【図２３】Ｙｏｓｈｉｎｏ・タイム・マシンのネットワーク型の図。
【図２４】Ｙｏｓｈｉｎｏ・タイム・マシンのスパイラル・ネット（・ノード）型の図。
【図２５】Ｙｏｓｈｉｎｏ・タイム・マシンのＬＲ型の図。
【図２６】Ｙｏｓｈｉｎｏ・タイム・マシンのＬＲ型の図。複数のトライアル／事象／パーティクルの表現による、解析の例を示す。
【図２７】フィジカルなポテンシャル・ウォールの図。
【図２８】パーティクル・イミッター／レシーバー／ハンドラーを含めた、図。
【図２９】フィジカルなポテンシャル・ウォールにパス（道）をつけた図。これによって、よりパーティクルが右か左に行きやすくなる。この図によるものだけでなく、パス（道たち）のパターンはいろいろ工夫できる。パーティクルの出入りがしやすかったり、しにくかったりするのを、パターンによって作ったりする。
【図３０】無限における、有限・矛盾の解除／リリース。無限界において、有限界の矛盾は共存（Ｃｏ−Ｅｘｉｓｔ）するという図。
【図３１】次元空間、時空情報空間、間、ポテンシャルとか領域の進み方を示した図。この世が永遠であるならば、どのような始まりがあり、どのように永遠になれるのかの例を示した図。ビギニングというのはあるのかということ。そして、エンディングは永遠でありえるのかということ。
【図３２】左図は、未来のＹｏｓｈｉｎｏ  ＭｅｍｏｒｉａにおけるＬ−Ｒ選択／情報／シグナルのＬ選択／シグナルを示した図。白い三角のところ（若しくはその付近）で相対未来においてＬが選択されていることを知る。  右図は、未来のＹｏｓｈｉｎｏ  ＭｅｍｏｒｉａにおけるＬ−Ｒ選択／情報／シグナルのＲ選択／シグナルを示した図。白い三角のところ（若しくはその付近）で相対未来においてＲが選択されていることを知る。
【図３３】ビットウィーン（Ｂｅｔｗｅｅｎ）のシグナル図。Ｌ−Ｒの中間の量子状態（クウォンタム・ステート）でも良い。
【図３４】吉野・タイム・マシンのその他の形態。
【図３５】吉野・タイム・マシンの観測による知の図。
【図３６】吉野・タイム・マシンのマスによる観測による知の図。マスによる正解確立があがり、より的確になることが多い。
【図３７】吉野・タイム・マシンのＹ型のより具体的な例。
【図３８】吉野・タイム・マシンのＹ型のマスによるより具体的な例。
【図３９】吉野・タイム・マシンのＹ型のより具体的な例。コンテイナーとかエレメントのコンビネーションによるコンテイナーの図。
【図４０】吉野・タイム・マシンのＹ型のエレメント／ポテンシャルの例。
【図４１】吉野・タイム・マシンのメモリアとメモリーの構築例。  ひかく、による原則も含まれる。
【図４２】吉野・タイム・マシンのマスによるメモリアとメモリーのタイミングによる構築例。この例では、まず、相対未来において、はじめにヨシノ・メモリアが存在（／準備されていると）するとしよう。
【図４３】相対過去が情報を受け入れている例。
【図４４】相対過去が情報を受け入れるタイミングの例。
【図４５】マスによるその判断。
【図４６】情報の表現の仕方の一例。
【図４７】その、よい表現方法。
【図４８】テンソル的、インデックス的な表現を使っても良い。
【図４９】吉野・タイム・マシンのより具体的な例。マルチ・レイヤー型。イミッターとかセンサーを含む。
【図５０】吉野・タイム・マシンのＭＰＵ（モルティプル・プロセッシング・ユニット）の図。
【図５１】クウォンタム・ステートの一例。
【図５２】クウォンタム・ステートの一例。
【図５３】クウォンタム・ステートの一例。
【図５４】クウォンタム・ステートの一例。
【図５５】クウォンタム・ステートの一例。
【図５６】情報のリフレクション（反射）を示す図。非対称における、タイミング・ギャップの表れ。
【図５７】量子・不確定性による情報の曖昧さを示す図。
【図５８】量子・不確定性による情報の曖昧さを示す別の形態の図。
【図５９】量子・状態における情報／シグナルの多様性を示す図。
【図６０】ポテンシャルとエネルギー／ウェーブ（による）情報の関係を示す図。
【図６１】オペレーティヴ・ポテンシャル／ダイナミック・ポテンシャルとエネルギー／ウェーブ（による）情報の関係を示す図。
【図６２】ポテンシャルとダイナミック・エネルギー／ウェーブ（による）情報の関係を示す図。
【図６３】オペレーティヴ・ポテンシャル／ダイナミック・ポテンシャルとダイナミック・エネルギー／ウェーブ（による）情報の関係を示す図。
【図６４】選択／フィールド／ポテンシャルによる方向性の選択（バイアス設定）の例。
【図６５】選択／フィールド／ポテンシャルによる方向性の選択（バイアス設定）の例。
【図６６】選択／フィールド／ポテンシャルによる方向性の選択（バイアス設定）の例とそれに関係するウェーブ／ダイナミック・ウェーブを示した図。（Ｌ−＞Ｒ）
【図６７】選択／フィールド／ポテンシャルによる方向性の選択（バイアス設定）の例とそれに関係するウェーブ／ダイナミック・ウェーブを示した図。（Ｒ−＞Ｌ）
【図６８】粒子・ボックスの図。粒子はフォトンと電子と陽子とトリトンと情報のコンビネーションを含んでも良い。
【図６９】粒子・ボックス／エレメント・ボックスの概念図。
【図７０】ポテンシャル、基底・エネルギーとベース・エネルギーの図。
【図７１】エレメント・ボックス／粒子・ボックスの簡単な例の図。
【図７２】エレメント・ボックス／粒子・ボックスの簡単な例の図。ポテンシャル／フィールドのかけ方によってエレメント／粒子のビヘービアが変わる。
【図７３】エレメント・ボックス／粒子・ボックスの簡単な例の図。ポテンシャル／フィールドのかけ方によってエレメント／粒子／情報のビヘービアが変わる。
【図７４】エレメント・ボックス／粒子・ボックスの簡単な例の図。ポテンシャル／フィールドのかけ方によってエレメント／粒子／情報のビヘービアが変わる。
【図７５】エレメント・ボックス／粒子・ボックスの例の図。ポテンシャル／フィールドのかけ方によってエレメント／粒子／情報のビヘービアが変わる。そして、センサーのあり方によって、情報のハンドルの仕方が異なる。
【図７６】エレメント・ボックス／粒子・ボックスの例の図。エレメント・ボックスは、複数のユニットを有していても良い。
【図７７】吉野・タイム・マシンのナノテク型の図。
【図７８】吉野・タイム・マシンのナノテク型の他の形態の図。
【図７９】ナノチューブ型、エレメント・コンファイナーの図。
【図８０】ナノチューブ型、エレメント・コンファイナーの図。
【図８１】吉野・タイム・システムのナノ型における、エレメント・ミュージック・スタイルをしめした図。
【図８２】吉野・タイム・システムのスモール型における、エレメント・ミュージック・スタイルをしめした図。
【図８３】吉野・タイム・マシン・システムのチューブ型における、エレメント・ミュージック・スタイルをしめした図。
【図８４】エレメント・融合を示した図。
【図８５】脳とのコミュニケーションを示した図。
【図８６】Ｙｏｓｈｉｎｏ  Ｍｅｍｏｒｉａと脳とのコミュニケーションを示した図。
【図８７】フィード・フォーワードＡＯＲフィード・バックによる吉野メモリアと吉野メモリーとＭａｓｔｅｒ  ｏｆ  Ｕｎｉｖｅｒｓｅ  Ｋａｚｕｔｏｒａ  Ｙｏｓｈｉｎｏのコミュニケーションの実施例。
【図８８】フィード・フォーワードＡＯＲフィード・バックによる吉野メモリアと吉野メモリーとＭａｓｔｅｒ  ｏｆ  Ｕｎｉｖｅｒｓｅ  Ｋａｚｕｔｏｒａ  Ｙｏｓｈｉｎｏのコミュニケーションの実施例。フィード・フォーワードＡＯＲフィード・バックのコンビネーションによるチェイン・エレメントを使った実施例。
【図８９】フィード・フォーワードＡＯＲフィード・バックによる吉野メモリアと吉野メモリーとＭａｓｔｅｒ  ｏｆ  Ｕｎｉｖｅｒｓｅ  Ｋａｚｕｔｏｒａ  Ｙｏｓｈｉｎｏのコミュニケーションの実施例。フィード・フォーワードＡＯＲフィード・バックのコンビネーションによるチェイン・エレメントを使った実施例。Ｙｏｓｈｉｎｏ  タイム・マシン・システムの自己・改善型のシステム。
【図９０】吉野  タイム・マシンのパス（道）のパターンはいろいろ作れるが、その一部の例。
【図９１】吉野  タイム・マシンのパス（道）のパターンはいろいろ作れるが、その一部の例。
【図９２】吉野・タイム・マシン・データ・タイプの例。
【図９３】吉野・タイム・マシン・データ・タイプによる、スーパー・ストリング・（仮想的）シミュレーションによる、未来情報判断。ミュー・ボックスによる判断でも良い。
【図９４】吉野・タイム・マシン・データ・タイプによる、（仮想的）シミュレーションによる、未来情報判断。（判断情報の）ソースは、時間の中にあっても良い。
【図９５】吉野・タイム・マシン・ＬＲ・タイプの他の形態の図。
【図９６】吉野・タイム・マシンの他の形態の図。脳とのコミュニケーションもある。
【図１】
2006314185.tif 000003
【図２】
2006314185.tif 000004
【図３】
2006314185.tif 000005
【図４】
2006314185.tif 000006
【図５】
2006314185.tif 000007
【図６】
2006314185.tif 000008
【図７】
2006314185.tif 000009
【図８】
2006314185.tif 000010
【図９】
2006314185.tif 000011
【図１０】
2006314185.tif 000012
【図１１】
2006314185.tif 000013
【図１２】
2006314185.tif 000014
【図１３】
2006314185.tif 000015
【図１４】
2006314185.tif 000016
【図１５】
2006314185.tif 000017
【図１６】
2006314185.tif 000018
【図１７】
2006314185.tif 000019
【図１８】
2006314185.tif 000020
【図１９】
2006314185.tif 000021
【図２０】
2006314185.tif 000022
【図２１】
2006314185.tif 000023
【図２２】
2006314185.tif 000024
【図２３】
2006314185.tif 000025
【図２４】
2006314185.tif 000026
【図２５】
2006314185.tif 000027
【図２６】
2006314185.tif 000028
【図２７】
2006314185.tif 000029
【図２８】
2006314185.tif 000030
【図２９】
2006314185.tif 000031
【図３０】
2006314185.tif 000032
【図３１】
2006314185.tif 000033
【図３２】
2006314185.tif 000034
【図３３】
2006314185.tif 000035
【図３４】
2006314185.tif 000036
【図３５】
2006314185.tif 000037
【図３６】
2006314185.tif 000038
【図３７】
2006314185.tif 000039
【図３８】
2006314185.tif 000040
【図３９】
2006314185.tif 000041
【図４０】
2006314185.tif 000042
【図４１】
2006314185.tif 000043
【図４２】
2006314185.tif 000044
【図４３】
2006314185.tif 000045
【図４４】
2006314185.tif 000046
【図４５】
2006314185.tif 000047
【図４６】
2006314185.tif 000048
【図４７】
2006314185.tif 000049
【図４８】
2006314185.tif 000050
2006314185.tif 000051
【図４９】
2006314185.tif 000052
【図５０】
2006314185.tif 000053
【図５１】
2006314185.tif 000054
【図５２】
2006314185.tif 000055
【図５３】
2006314185.tif 000056
【図５４】
2006314185.tif 000057
【図５５】
2006314185.tif 000058
【図５６】
2006314185.tif 000059
【図５７】
2006314185.tif 000060
【図５８】
2006314185.tif 000061
【図５９】
2006314185.tif 000062
【図６０】
2006314185.tif 000063
【図６１】
2006314185.tif 000064
【図６２】
2006314185.tif 000065
【図６３】
2006314185.tif 000066
【図６４】
2006314185.tif 000067
【図６５】
2006314185.tif 000068
【図６６】
2006314185.tif 000069
【図６７】
2006314185.tif 000070
【図６８】
2006314185.tif 000071
【図６９】
2006314185.tif 000072
【図７０】
2006314185.tif 000073
【図７１】
2006314185.tif 000074
【図７２】
2006314185.tif 000075
【図７３】
2006314185.tif 000076
【図７４】
2006314185.tif 000077
【図７５】
2006314185.tif 000078
【図７６】
2006314185.tif 000079
【図７７】
2006314185.tif 000080
【図７８】
2006314185.tif 000081
【図７９】
2006314185.tif 000082
【図８０】
2006314185.tif 000083
【図８１】
2006314185.tif 000084
【図８２】
2006314185.tif 000085
【図８３】
2006314185.tif 000086
【図８４】
2006314185.tif 000087
【図８５】
2006314185.tif 000088
【図８６】
2006314185.tif 000089
【図８７】
2006314185.tif 000090
【図８８】
2006314185.tif 000091
【図８９】
2006314185.tif 000092
【図９０】
2006314185.tif 000093
【図９１】
2006314185.tif 000094
【図９２】
2006314185.tif 000095
【図９３】
2006314185.tif 000096
【図９４】
2006314185.tif 000097
【図９５】
2006314185.tif 000098
【図９６】
2006314185.tif 000099
【手続補正書】
【提出日】平成17年9月22日(2005.9.22)
【手続補正２】
【補正対象書類名】図面
【補正対象項目名】全図
【補正方法】変更
【補正の内容】
【図１】
2006314185.tif 000100
【図２】
2006314185.tif 000101
【図３】
2006314185.tif 000102
【図４】
2006314185.tif 000103
【図５】
2006314185.tif 000104
【図６】
2006314185.tif 000105
【図７】
2006314185.tif 000106
【図８】
2006314185.tif 000107
【図９】
2006314185.tif 000108
【図１０】
2006314185.tif 000109
【図１１】
2006314185.tif 000110
【図１２】
2006314185.tif 000111
【図１３】
2006314185.tif 000112
【図１４】
2006314185.tif 000113
【図１５】
2006314185.tif 000114
【図１６】
2006314185.tif 000115
【図１７】
2006314185.tif 000116
【図１８】
2006314185.tif 000117
【図１９】
2006314185.tif 000118
【図２０】
2006314185.tif 000119
【図２１】
2006314185.tif 000120
【図２２】
2006314185.tif 000121
【図２３】
2006314185.tif 000122
【図２４】
2006314185.tif 000123
【図２５】
2006314185.tif 000124
【図２６】
2006314185.tif 000125
【図２７】
2006314185.tif 000126
【図２８】
2006314185.tif 000127
【図２９】
2006314185.tif 000128
【図３０】
2006314185.tif 000129
【図３１】
2006314185.tif 000130
【図３２】
2006314185.tif 000131
【図３３】
2006314185.tif 000132
【図３４】
2006314185.tif 000133
【図３５】
2006314185.tif 000134
【図３６】
2006314185.tif 000135
【図３７】
2006314185.tif 000136
【図３８】
2006314185.tif 000137
【図３９】
2006314185.tif 000138
【図４０】
2006314185.tif 000139
【図４１】
2006314185.tif 000140
【図４２】
2006314185.tif 000141
【図４３】
2006314185.tif 000142
【図４４】
2006314185.tif 000143
【図４５】
2006314185.tif 000144
【図４６】
2006314185.tif 000145
【図４７】
2006314185.tif 000146
【図４８】
2006314185.tif 000147
【図４９】
2006314185.tif 000148
【図５０】
2006314185.tif 000149
【図５１】
2006314185.tif 000150
【図５２】
2006314185.tif 000151
【図５３】
2006314185.tif 000152
【図５４】
2006314185.tif 000153
【図５５】
2006314185.tif 000154
【図５６】
2006314185.tif 000155
【図５７】
2006314185.tif 000156
【図５８】
2006314185.tif 000157
【図５９】
2006314185.tif 000158
【図６０】
2006314185.tif 000159
【図６１】
2006314185.tif 000160
【図６２】
2006314185.tif 000161
【図６３】
2006314185.tif 000162
【図６４】
2006314185.tif 000163
【図６５】
2006314185.tif 000164
【図６６】
2006314185.tif 000165
【図６７】
2006314185.tif 000166
【図６８】
2006314185.tif 000167
【図６９】
2006314185.tif 000168
【図７０】
2006314185.tif 000169
【図７１】
2006314185.tif 000170
【図７２】
2006314185.tif 000171
【図７３】
2006314185.tif 000172
【図７４】
2006314185.tif 000173
【図７５】
2006314185.tif 000174
【図７６】
2006314185.tif 000175
【図７７】
2006314185.tif 000176
【図７８】
2006314185.tif 000177
【図７９】
2006314185.tif 000178
【図８０】
2006314185.tif 000179
【図８１】
2006314185.tif 000180
【図８２】
2006314185.tif 000181
【図８３】
2006314185.tif 000182
【図８４】
2006314185.tif 000183
【図８５】
2006314185.tif 000184
【図８６】
2006314185.tif 000185
【図８７】
2006314185.tif 000186
【図８８】
2006314185.tif 000187
【図８９】
2006314185.tif 000188
【図９０】
2006314185.tif 000189
【図９１】
2006314185.tif 000190
【図９２】
2006314185.tif 000191
【図９３】
2006314185.tif 000192
【図９４】
2006314185.tif 000193
【図９５】
2006314185.tif 000194
【図９６】
2006314185.tif 000195
【外国語明細書】
2006314185.tif 000196
2006314185.tif 000197
2006314185.tif 000198
2006314185.tif 000199
2006314185.tif 000200
2006314185.tif 000201
2006314185.tif 000202
2006314185.tif 000203
2006314185.tif 000204
2006314185.tif 000205
2006314185.tif 000206
2006314185.tif 000207
2006314185.tif 000208
2006314185.tif 000209
2006314185.tif 000210
2006314185.tif 000211
2006314185.tif 000212
2006314185.tif 000213
2006314185.tif 000214
2006314185.tif 000215
2006314185.tif 000216
2006314185.tif 000217
2006314185.tif 000218
2006314185.tif 000219
2006314185.tif 000220
2006314185.tif 000221
2006314185.tif 000222
2006314185.tif 000223
2006314185.tif 000224
2006314185.tif 000225
2006314185.tif 000226
2006314185.tif 000227
2006314185.tif 000228
2006314185.tif 000229
2006314185.tif 000230
2006314185.tif 000231
2006314185.tif 000232
2006314185.tif 000233
2006314185.tif 000234
2006314185.tif 000235
2006314185.tif 000236
2006314185.tif 000237
2006314185.tif 000238
2006314185.tif 000239
2006314185.tif 000240
2006314185.tif 000241
2006314185.tif 000242
2006314185.tif 000243
2006314185.tif 000244
2006314185.tif 000245
2006314185.tif 000246
2006314185.tif 000247
2006314185.tif 000248
2006314185.tif 000249
2006314185.tif 000250
2006314185.tif 000251
2006314185.tif 000252
2006314185.tif 000253
2006314185.tif 000254
2006314185.tif 000255
2006314185.tif 000256
2006314185.tif 000257
2006314185.tif 000258
2006314185.tif 000259
2006314185.tif 000260
2006314185.tif 000261
2006314185.tif 000262
2006314185.tif 000263
2006314185.tif 000264
2006314185.tif 000265
2006314185.tif 000266
2006314185.tif 000267
2006314185.tif 000268
2006314185.tif 000269
2006314185.tif 000270
2006314185.tif 000271
2006314185.tif 000272
2006314185.tif 000273
2006314185.tif 000274
2006314185.tif 000275
2006314185.tif 000276
2006314185.tif 000277
2006314185.tif 000278
2006314185.tif 000279
2006314185.tif 000280
2006314185.tif 000281
2006314185.tif 000282
2006314185.tif 000283
2006314185.tif 000284
2006314185.tif 000285
2006314185.tif 000286
2006314185.tif 000287
2006314185.tif 000288
2006314185.tif 000289
2006314185.tif 000290
2006314185.tif 000291
2006314185.tif 000292
2006314185.tif 000293
2006314185.tif 000294
2006314185.tif 000295
2006314185.tif 000296
2006314185.tif 000297
2006314185.tif 000298
2006314185.tif 000299
2006314185.tif 000300
2006314185.tif 000301
2006314185.tif 000302
2006314185.tif 000303
2006314185.tif 000304
2006314185.tif 000305
2006314185.tif 000306
2006314185.tif 000307
2006314185.tif 000308
2006314185.tif 000309
2006314185.tif 000310
2006314185.tif 000311
2006314185.tif 000312